(57)【要約】【課題】従来の装置のように、１個の温度検出手段でおむつの温度変化量を積分する方法では２回目以降の排尿量の推定精度が大幅に低下する問題があった。特に排尿時の姿勢によっては尿の流れる道筋が大きく変化するので更に推定精度が低下する問題があった。そのために、上記従来の装置が報知するおむつ内排尿量にもとづいておむつの交換作業をした場合、おむつを開いてみると未だ交換時期に来ていなかったり既におむつから尿漏れが発生した後だったりという問題があり改善を必要としていた。【解決手段】おむつの外側に配設された複数個の温度センサーと、これらの温度センサーの各個が検出した温度のピーク値を算出するピーク値算出手段と、前記温度センサーの各個が検出した温度が排尿或いは排便により上昇に転じる点の温度を検出し基準温度とする基準温度算出手段と、排尿或いは排便の各回に前記各温度センサーが感応して発生した温度センサーごとのピーク値から前記基準温度算出手段が算出した温度センサーごとの基準温度を減算しその結果に基づいて全ピーク値を加重加算することにより排尿或いは排便量を算出する加重加算手段を備え排尿量を算出するようにした。
2011162402.tif 000002
【特許請求の範囲】
【請求項１】
おむつ内に排泄された尿の熱放散領域を覆うようにおむつの外側に配設された複数個の温度センサーと、これらの温度センサーの各個が検出した温度のピーク値を算出するピーク値算出手段と、前記温度センサーの各個が検出した温度が排尿により上昇に転じた点の温度を検出し基準温度とする基準温度算出手段と、排尿の各回に前記各温度センサーが感応して発生した温度センサーごとのピーク値から前記基準温度算出手段が算出した温度センサーごとの基準温度を減算しその結果に基づいて全ピーク値を加重加算することにより尿量を算出する加重加算手段を備えた  おむつ内排便および排尿量検出装置
【請求項２】
請求項１に記載のおむつ内排尿量検出装置において、おむつ内に排泄された便の熱放散領域を覆うようにおむつの外側の便排泄口付近で尿排泄口より遠い側に配設された複数個の温度センサーと、これらの温度センサーの各個が検出した温度のピーク値を算出するピーク値算出手段と、前記温度センサーの各個が検出した温度が上昇に転じる点の温度を検出しその中から前記ピーク値発生時点直近の温度を抽出して基準温度とする基準温度算出手段と、排便の各回に前記各温度センサーが感応して発生した温度センサーごとのピーク値から前記基準温度算出手段が算出した温度センサーごとの基準温度を減算しその結果に基づいて全ピーク値を加重加算することにより便量を算出する加重加算手段を備えた、おむつ内排便および排尿量検出装置
【請求項３】
請求項１及び請求項２に記載のおむつ内排便および排尿量検出装置において、おむつに配設されおむつ使用者の運動によって生じる加速度を検出する少なくとも１軸の加速度センサーと、この加速度センサーが検出した加速度に基づいておむつ使用者が動いたことを検出する運動検出手段と、この運動検出手段がおむつ使用者の動きを検出したときと実質的に同時刻にピーク算出手段がピーク値を算出した場合はピーク値を無効にして加重加算を行わない加重加算手段を備えたおむつ内排尿量検出装置
【請求項４】
請求項１乃至請求項３に記載のおむつ内排尿量検出装置において、尿排泄口近傍のおむつの外側に少なくとも１個の湿度センサーを配設し、この湿度センサーが検出した湿度の上昇速度を算出する上昇速度算出手段と、この上昇速度が所定値を超えた時警報信号を発出する警報判定手段を備えたおむつ内尿量検出装置
【請求項５】
請求項１乃至請求項３に記載のおむつ内排便および排尿量検出装置において、おむつに配設された複数個の温度センサーと加速度センサー及びこれらのセンサーに基づく測定値を近接地に無線送信するための無線送信手段と、前記近接地に配設した前記無線伝送された測定値を受信する無線受信手段とこの受信した測定値を遠隔地に伝送するための遠隔送信手段と、遠隔地に配設された前記伝送された測定値を受信し請求項１乃至請求項３に記載のピーク算出手段と基準温度算出手段及び運動検出手段に供給する遠隔受信手段を備えたおむつ内排便および排尿量検出装置
【発明の詳細な説明】
【技術分野】
【０００１】
［発明の詳細な説明］
本発明は、おむつ内に排泄された尿の量または便の排泄を検知し報知する装置に関するものである。
【背景技術】
【０００２】
従来より、おむつ内に排泄された尿の量または便の排泄をおむつの外側から検知し報知する装置については、未だ開示された技術や実用化された装置が見当たらない。
［先行技術文献］【０００３】
従来より、おむつ内に排泄された尿の量を検知し報知する装置として、例えば特許公報４１０１４３２号に開示されているように、おむつに取り付けられおむつの温度を検出する温度検出手段で検出されたおむつの温度変化量を積分し得られた積分量に基づいて尿量を算出するようにしたものが提案されている。
しかしながら、この装置は前記温度測定手段を繰り返し使用できる利点がある半面、排尿によるおむつの濡れ方が２回目以降の排尿においては、それまでの排尿で濡れた領域をおむつと皮膚の間を流れる層流となって流れ素早くおむつの周辺に広がって行くので、排尿による熱量の多くは前記周辺に分散してしまい、上記従来の装置のように１個の温度検出手段でおむつの温度変化量を積分する方法では２回目以降の排尿量の推定精度が大幅に低下する問題があった。特に排尿時の姿勢によっては尿の流れる道筋が大きく変化するので更に推定精度が低下する問題があった。そのために、上記従来の装置が報知するおむつ内尿排泄量にもとづいておむつの交換作業をした場合、おむつを開いてみると未だ交換時期に来ていなかったり既におむつから尿漏れが発生した後だったりという問題があった。
また、排便があった場合は皮膚の炎症を防ぐため速やかにおむつの交換を行う必要がある。そのため、別途排便検出装置を取り付けることになるとコスト高や取り付ける手間がかかり介護者の負担が増えたり装着感を損ねる問題があり、介護の現場では尿用と便用を一体化した装置が切望されている。
そして、おむつの使用者が寝る・座る・寝返るなどの動きをするとおむつが人体に密着する度合いが変化するので体温がおむつへ伝達される度合いが変化し尿や便排出時と同様におむつの温度を押し上げる現象が起こる。その結果尿や便の排出があったと誤認し算出した尿量に大幅な誤差をもたらすという問題がある。
更に、おむつが限界近くまで尿を吸収したところでおむつの使用者が例えば座るなどおむつを強く圧迫する姿勢をとった場合は、おむつに含まれていた尿が搾り出されておむつから漏れ出し衣類や寝具を汚すので介護者は速やかに対応を迫られる問題がある。
その他に、病院や介護施設などで尿量検出装置を使用する場合は検出結果を報知する手段をナースセンターなどの遠隔地に設置するのが一般的である。このとき、おむつに取り付ける装置は極小にして装着感を向上させまた使用者の行動を束縛しないよう電源は電池駆動とし電力消費を極小にすることと測定値の伝送は無線方式にしなければならないという問題がある。
【発明の概要】
【０００４】
本発明は、このような問題に鑑みなされたものであり、尿や便の排泄量やその発生時期や尿もれを正確に検出して迅速に介護者に報知することによって介護者の労力を軽減させ、おむつ使用者の快適性を向上させると共に良好な衛生状態を維持するための援助をする、おむつ内排便および排尿量検出装置を提供することを課題としている。
［課題を解決するための手段］
【０００５】
上記の課題を解決するために、請求項１に記載の本発明装置はおむつ内に排泄された尿の熱放散領域を覆うようにおむつの外側に配設された複数個の温度センサーと、これらの温度センサーの各個が検出した温度のピーク値を算出するピーク値算出手段と、前記温度センサーの各個が検出した温度が上昇に転じる点の温度を検出し、その中から前記ピーク値発生時点直近の温度を抽出して基準温度とする基準温度算出手段と、排尿の各回に前記各温度センサーが感応して発生した温度センサーごとのピーク値から前記基準温度算出手段が算出した温度センサーごとの基準温度を減算しその結果に基づいて全ピーク値を加重加算することにより尿量を算出する加重加算手段を備えたこと、を特徴としている。
【０００６】
請求項２に記載の本発明装置は、請求項１に記載のおむつ内排尿量検出装置において、おむつ内に排泄された便の熱放散領域を覆うようにおむつの外側の便排泄口付近で尿排泄口より遠い側に配設された複数個の温度センサーと、これらの温度センサーの各個が検出した温度のピーク値を算出するピーク値算出手段と、前記温度センサーの各個が検出した温度が排便により上昇に転じた点の温度を検出しその中から前記ピーク値発生時点直近の温度を抽出して基準温度とする基準温度算出手段と、排便の各回に前記各温度センサーが感応して発生した温度センサーごとのピーク値から前記基準温度算出手段が算出した温度センサーごとの基準温度を減算しその結果に基づいて全ピーク値を加重加算することにより便量を算出する加重加算手段を備えたこと、を特徴としている。
【０００７】
請求項３に記載の本発明装置は、請求項１及び請求項２に記載のおむつ内排便および排尿量検出装置において、おむつに配設されおむつ使用者の運動によって生じる加速度を検出する少なくとも１軸の加速度センサーと、この加速度センサーが検出した加速度に基づいておむつ使用者が動いたことを検出する運動検出手段と、この運動検出手段がおむつ使用者の動きを検出したときと実質的に同時刻にピーク算出手段がピーク値を算出した場合はピーク値を無効にして加重加算を行わない加重加算手段を備えたこと、を特徴としている。
【０００８】
請求項４に記載の本発明装置は、請求項１乃至請求項３に記載のおむつ内排尿量検出装置において、尿排泄口近傍のおむつの外側に少なくとも１個の湿度センサーを配設し、この湿度センサーが検出した湿度の上昇速度を算出する上昇速度算出手段と、この上昇速度が所定値を超えた時警報信号を発出する警報判定手段を備えたこと、を特徴としている。
【０００９】
請求項５に記載の本発明装置は、請求項１乃至請求項４に記載のおむつ内排便および排尿量検出装置において、おむつに配設された複数個の温度センサーと加速度センサー及びこれらのセンサーに基づく測定値を近接地に無線送信するための無線送信手段と、前記近接地に配設した前記無線伝送された測定値を受信する無線受信手段とこの受信した測定値を遠隔地に伝送するための遠隔送信手段と、遠隔地に配設された前記伝送された測定値を受信し請求項１乃至請求項３に記載のピーク算出手段と基準温度算出手段及び運動検出手段に供給する遠隔受信手段を備えたこと、を特徴としている。
［発明の効果］
【００１０】
前記のように構成された請求項１に記載のおむつ内排尿量検出装置は、おむつの外側に排尿量検出に係わる複数個の温度センサーを配設している。これらの温度センサーが検出した温度と配設された位置に係わる情報からおむつ内に排泄された累積尿量を算出する。排泄された尿は排泄回数が増える度に尿排泄口からおむつの周辺に向って遠くまで流れてから吸収される。１回目の排尿は尿排泄口付近のおむつに吸収され、そこのおむつの外側を暖めるのでその付近に配設された温度センサーに温度変化が感知される。２回目の尿排泄があったときは、排尿は１回目に濡れてしまったおむつの部分で一部は吸収されるものの大部分はその表面を流れてその周辺の未だ濡れていない部分に吸収される。その結果２回目の排尿によって暖められたおむつの表面の温度は２回目の排尿で濡れたおむつの部分近くに配設された温度センサーによって感知される。以後排尿の度ごとに新たに濡れたおむつの部分の近くに配設された温度センサーにより排尿による温度変化が感知される。排尿時の尿の温度はほぼ体温に一致している。この尿がおむつに吸収されることによりおむつのその部分を温めてその外側に配設された温度センサーに感知される場合この温度センサーが検出した温度変化のピーク値と排尿量との間には大略比例関係が成り立っていることが実験的に確かめられている。比例係数は周辺に配設された温度センサーほど大きくなる。本発明装置は、この原理を活用して排尿量を算出するため、先ず、おむつが排尿によって濡れる範囲を全て監視できるような配置で温度センサーを配設し、ピーク算出手段によりこれら温度センサーの各個について検出した温度のピーク値を求める。次いで、基準温度算出手段によりこのピーク値を示した温度センサーが排尿に感応して温度上昇を開始した時点の温度即ち基準温度を前記温度センサーが検出した温度の変化速度が最大となった時点の温度として求める。最後に、加重加算手段により前記ピーク値を示した温度センサーの配設位置に係わる係数を加味して加重加算し累積尿量を算出する。前記複数個の温度センサー以外の構成手段は小型の容器に収容しおむつの上縁などに取り付ける。
以上説明したように、本発明装置は排尿によっておむつの各部に新たに生じた温度変化に基づいて累積尿量を算出しているので従来公知の装置より算出した排尿量の精度が向上するばかりでなくおむつ使用者の動きによりおむつが濡れた場所が様々に変化しても前記精度が低下することがないという効果がある。また、本発明装置に使用する温度センサーは家庭用晴雨計などで広く使用されているディジタル出力を備えた半導体温度センサーなどが使用でき、その他の部分は多くの家庭用電気製品に普及しているマイクロコントローラを使用できるので低コストで生産できる効果がある。
【００１１】
請求項２に記載のおむつ内排尿量検出装置は、おむつの外側に排便量検出に係わる複数個の温度センサーを配設している。これらの温度センサーが検出した温度と配設された位置に係わる情報からおむつ内に排泄された累積便量を算出する。この累積便量の算出方法は請求項１に記載の本発明装置と同様でありピーク算出手段と基準温度算出手段及び加重加算手段は共用できる。また、便は尿に比べて一般に流動性が低くおむつ内で拡散する領域が小さいので配設する温度センサーの数は少なくてよい。従って本発明装置は小型化が可能であり低コストで生産できる効果がある。更に、本発明装置は温度センサーを使って便検出をする方法を実現したので臭気検出用のセンサーなどを使う場合に比べ小型・低消費電力・低コストで生産できる効果がある。
【００１２】
請求項３に記載のおむつ内排尿量検出装置は、請求項１及び請求項２に記載の本発明装置に使用者の動きを検出する加速度センサーとその出力に基づく運動検出手段を付加したものである。使用者が動くと体とおむつとの密着度が変化し体温がおむつに伝わる伝わり方が急激に変化する。そのことによりピーク算出手段がピーク値を算出する場合が発生する。しかし、このピーク値は排尿によって発生したものではないので尿量算出に使用してはならない。そのため本発明装置は前記加速度センサーの出力を前記運動検出手段で処理して使用者の動きを検出しそれが所定値を越えたときはその直後に発生した前記ピーク値を無効にする。本発明装置はこうして使用者の動きが累積尿量の算出にもたらす誤差を排除し尿量検出装置の精度を高める効果がある。また、前記加速度センサーは、自動車用ナビゲーターなどで多数使用されている半導体素子が使用でき、小型低コストで生産できる効果がある。
【００１３】
請求項４に記載のおむつ内排尿量検出装置は、請求項１乃至請求項３に記載の本発明装置に湿度センサーとその出力に基づく湿度の上昇速度を算出する上昇速度算出手段とこの上昇速度が所定値を超えた時警報信号を発出する警報判定手段を付加したものである。尿の排泄量がおむつの尿吸収限界を超えた場合はおむつの端から尿漏れが発生する。このように尿漏れが発生したときは、介護者は迅速におむつを交換し使用者の衣類や寝具まで汚れ拡大することを防ぎ使用者の不快感を取り除く必要がある。そのために本発明装置はおむつの尿排泄口の近くでおむつ外側に湿度センサーを配設し、尿漏れで起こる湿度を検出しその出力に基づいて上昇速度検出手段が湿度の上昇速度を検出しこの湿度の上昇速度が所定値を超えたとき警報判定手段が警報信号を発出する。本発明装置はこうして思わぬ大量の尿排泄があったりして尿漏れが発生してしまった場合でもそれを迅速に介護者に知らせることが出来、介護者の労力軽減や使用者の快適性の維持や衛生状態の確保に資する効果がある。また、前記湿度センサーは、家庭用晴雨計などで広く使用されているディジタル出力を備えた半導体湿度センサーなどが使用でき、その他の部分も多くの家庭用電気製品に普及しているマイクロコントローラを使用できるので低コストで生産できる効果がある。
【００１４】
請求項５に記載のおむつ内排便および排尿量検出装置は、請求項１乃至請求項４に記載の本発明装置においておむつに配設された各種センサーに基づく測定値を近接地に無線送信するための無線送信手段と、前記近接地に配設した前記無線伝送された測定値を受信する無線受信手段とこの受信した測定値を遠隔地に伝送するための遠隔送信手段と、前記測定値を受信しそれを遠隔地に配設された請求項１乃至請求項３に記載のピーク算出手段と基準温度算出手段及び運動検出手段に供給する遠隔受信手段を付加したものである。本発明装置ではおむつには尿検出用の複数個の温度センサーと便検出用の複数個の温度センサーと使用者の運動検出用の加速度センサーと尿漏れ検出用の湿度センサーとこれら各種センサーの出力を例えば１０メートル以内などの近距離に無線伝送するための無線送信手段を取り付ける。この無線送信手段は最近家庭用のリモコンや遠隔チャイムやラジコンなどに広く普及している微弱電波無線機やブルートゥスなどを使えば超小型のものが低価格で容易に実現できる。このように本発明装置の構成要素のうち必要最小限の部分のみをおむつに取り付けることにより使用者の行動を束縛することなく装着感に優れ電池寿命の長い装置が実現できる効果がある。前記無線送信手段から送信された信号を受信する無線受信手段は一般には使用者のベッド近傍に設置され前記各種センサーの測定値を復元し遠隔送信手段に送出する。この遠隔送信手段は通常は前記無線受信手段に近接して設置され、ナースセンターなどの遠隔地に設置された遠隔受信手段に前記各種センサーの測定値を伝送する。前記遠隔送信手段と遠隔受信手段は一対でデータ伝送路を形成する。これが有線の場合はＬＡＮケーブルやＰＬＣ、無線の場合はＰＨＳや無線ＬＡＮなど公知の広く普及したデータ伝送手段を使用するのが一般的である。前記遠隔受信手段は受信した前記各種センサーの測定値をピーク算出手段と基準温度算出手段と運動検出手段と上昇速度算出手段に分配する。これらの各種手段は一般にパソコンで実現する。本発明装置は、こうして多数の使用者のおむつの汚れ具合に関わる情報をナースセンターなどの遠隔地に一括して集中し介護者に報知できる。従って介護者はおむつ交換が必要な使用者や交換のタイミングを予め正確に把握できるので介護作業が効率化し省力化がはかれ経営改善にもつながるなどの効果がある。
【発明を実施するための形態】
【００１５】
上記のように構成された請求項１から５に記載の機能を有するおむつ内排便および排尿量検出装置は、介護施設や自宅介護の現場で、被介護者の便や尿の排泄を敏速に検知し、おむつからの便や尿漏れを未然に防ぎ、これによって被介護者のおむつかぶれやただれの予防にもなる為、被介護者に優しい介護を提供でき、又、本おむつ内排便および排尿量検出装置により、被介護者の排泄状態が自宅介護現場ではノートパソコン等の小型表示機でまた、多人数収容の介護施設では介護ステーションに置かれた大型デイスプレーに表示、また、必要に応じて警報され、介護者は、予め設定した必要度に応じて被介護者毎への対応・処置の仕方を迅速に判断して取り組めるので、大きな精神的・肉体的負担を軽減する機能を提供する。
【実施例】
【００１６】
以下、本発明が適用された実施例について図面を用いて説明する。尚、本発明は、下記の実施例に何ら限定されることなく本発明の技術的範囲に属する限り種々の形態をとりうることは言うまでもない。【００１７】
（第一実施例）図１は第一実施例の本発明装置をおむつに配設した場合の説明図である。図２は、第一実施例で使用者が例えば横臥姿勢で尿排泄した場合などの尿量算出精度を重視した各種センサーの配設を詳しく説明するための説明図である。図３は、第一実施例でコストを重視した各種センサーの配設を詳しく説明するための説明図である。図４は、第一実施例の構成を示す構成図である。図５は、排尿で新たに濡れたおむつの領域にある温度センサーが検出した温度の変化を説明するための説明図である。図６は、第二実施例の構成を示す構成図である。【００１８】
図１に示すように第一実施例の本発明装置は、前記各種センサーが配設されたセンサーユニット３と本体４で構成される。センサーユニット３は可撓性のプリント基板に前記各種センサーを取り付けて保護被服で被い本体４に接続されている。また、センサーユニット３は面ファスナーでおむつ２の所定位置に取り付け本体３はクリップでおむつ２の上縁付近に取り付ける。ここで本体３は前側に取り付ける。【００１９】
図２は排尿量算出に比較的高い精度を要求する用途に用いる第一実施例で、センサーユニット３ａにはおむつの左側に尿用の温度センサー１０乃至１３を配設しかつ右側に１４乃至１７を配設する。温度センサー１１及び１５は尿排泄口の真横付近に配設するのが好適である。また、便用の温度センサー１８と１９を便排泄口Ｐの真下からやや後ろ側に相互に４乃至６ｃｍ離して配設する。更に、温度センサー１８、１９の後方に別な温度センサー２０，２１をそれぞれ３−４ｃｍ離して配設する。そして、加速度センサー３０を本体３の内部に配設し、更に、湿度センサー３１を尿排泄口の真下付近に配設する。センサーユニット３ａに配設する温度センサーは算出する排尿量或いは排便量の要求精度に合わせて配設密度を加減する。【００２０】
図３は排尿量の算出精度にはあまりこだわらないがコストを重視する用途に用いる第一実施例で、センサーユニット３ｂには尿用温度センサー１０乃至１２をおむつの中心線上に配設する。その他のセンサー配設場所はセンサーユニット３ａに示したのと同じである。センサーユニット３ｂに配設する温度センサーはセンサーユニット３ａの場合と同じく算出する排尿量或いは排便量の要求精度に合わせて配設密度を加減する。【００２１】
次に、図４及び図５を用いて第一実施例の動作を説明する。第一実施例は今日の技術では半導体やマイクロコントローラなど広く普及した公知の素子を用いサンプリングや論理演算などを多用するが当該分野の技術者なら容易に理解できることなのでそれら技術についての説明は省略する。先ず排尿検出時の動作について説明する。尿用温度センサー１０乃至１３が検出したおむつ各部の温度はピーク算出手段４０と基準温度算出手段４１に送出される。これらの温度をＴ１・・・Ｔｍとする。これらの温度は排尿時に尿からおむつに供給された熱量により一旦上昇するがその後下降する。この様子を図５を用いて詳しく説明する。尚、図２は図４の尿用温度センサーの最大数Ｍを８とし便用温度センサーの最大数Ｎを４とした場合を示し、図３は図４の尿用温度センサーの最大数Ｍを３とし便用温度センサーの最大数Ｎを４とした場合を示している。尚、便用センサー１８乃至２１を、尿用センサーとして共用し尿用センサーの密度を上げるのも有効である。図５において実線を例えば図２の尿排泄口近くの温度センサー１１の出力Ｔ２とすると、Ｔ２は１回目の排尿まではほぼ安定していたが１回目の排尿があり温度センサー１１の検出領域が尿で濡れると急上昇し数分後にはピークに到達しそれから徐々に下降する。次いで２回目の排尿があるとＴ２はやはり上昇と下降を繰り返す。しかし、２回目の排尿では一回目の排尿で濡れた領域にはあまり吸収されず表層流となって次の領域に流れ込み吸収される。その結果、２回目の排尿によって起こるＴ２の変化は小さい。しかし、温度センサー１１の隣の温度センサー即ち温度センサー１２の検出領域は２回目の排尿により新たに濡れたことにより温度センサー１２の出力Ｔ３はＴ２が１回目の排尿で示した変化と類似の変化をする。この様子を図５の点線で示した。ピーク算出手段４０は温度センサー１１及び温度センサー１２から送出されたＴ２及びＴ３から１回目及び第２回目の排尿によって生じるピーク値を算出し加重加算手段４２に送出する。このピーク値の算出方法はＴ２またはＴ３について相前後する値を比較し大きい方を残す方法や単位時間内の変動分を求めその符号が正から負に変化した時点のＴ２またはＴ３の値をピーク値とする方法など公知の方法を使えば差し支えない。基準温度算出手段４１は１回目及び２回目の排尿によってＴ２またはＴ３が急上昇を開始した時点のＴ２またはＴ３の値を基準温度として加重加算手段４１に送出する。この基準温度の算出方法はＴ２またはＴ３の単位時間内の変動分を求めその値がピークとなった時点のＴ２またはＴ３の値を基準温度するなど当該技術分野の技術者に公知の方法を使えばよい。今、Ｔ１について１回目の排尿対するピーク値をＴ１ｐ１および基準温度をＴ１ｒ１とし、２回目の排尿に対するピーク値をＴ１ｐ２及び基準温度をＴ１ｒ２とする。また、Ｔ２について２回目の排尿に対するピーク値をＴ２ｐ２及び基準温度をＴ２ｒ２とすると加重加算手段４２は各排尿毎の排尿量及び累積排尿量を下記の算式により算出する。
１回目の排尿量          Ｗ１＝Ｋ１１＊（Ｔ１ｐ１−Ｔ１ｒ１）
２回目の排尿量          Ｗ２＝Ｋ１１＊（Ｔ１ｐ２−Ｔ１ｒ２）＋Ｋ１２＊（Ｔ２ｐ２−Ｔ２ｒ２）
ここで、Ｋ１１およびＫ１２はそれぞれ温度センサー１１及び温度センサー１２の配設場所とおむつの種類で決まる定数で全ての温度センサーについて設計段階で設定する。
以下排尿によりピークが観測される度に全ての温度センサーについて同様の算出を行う。
ｘ回目までの累積尿量    Ｗ＝Ｗ１＋Ｗ２＋・・・・＋Ｗｘ
市販の紙おむつは吸水樹脂を使い尿吸収力を高めてあるが、排尿回数３乃至４回をおむつの最大容量と想定しているものが多い。
加速度センサー３０が検出した使用者の運動に伴う加速度値は運動検出手段４３に送出される。この加速度はそこで積分やベクトル合成など公知の手法を用い使用者の移動量として算出されその値が予め設計段階で設定した値を超過した時出力を加重加算手段４２に送出する。その時点あるいは少し遅れていずれかの温度センサーについて基準温度算出手段４１が基準温度を算出し引き続いてピーク算出手段４０がピーク値を算出した時は加重加算手段４２は前記ピーク値が排尿によってもたらされたものでないとして加重加算演算は実行しない。加速度センサー３０に３軸センサーを使用すれば使用者の運動を正確に把握でき好適であるが１軸センサーを使ってもよい。加重加算手段４２の演算結果即ち累積排尿量は警報判定手段４４に送出される。警報判定手段４４は受け取った累積尿量をおむつの吸水能力などを勘案して設定した所定値と比較し所定値を超過したとき、警報出力を警報表示手段４５に送出する。このとき警報表示手段４５は警報音や合成音声などの警報を発出する。次いで排便検出時の動作について説明する。
便用温度センサー１８乃至２１が検出したおむつ各部の温度はピーク算出手段４０と基準温度算出手段４１に送出される。以後加重加算手段４２で運動検出手段４３の出力を勘案して排便量が算出され警報判定手段４４で警報判定され警報表示手段４５で警報が発出される動作は上述の尿検出の場合と類似なので重ねての説明は省略する。尚、排便については１回目の排便で警報を発出するので加重加算手段４２は１回目以降の排便の加重加算機能を省略してもよい。また、一般に便は尿に比べ流動性が低いので加重加算手段４２は全ての便用温度センサーについての加算機能を省略し便用温度センサーの中の最大のピーク値を警報判定手段４４に出力しても排便検出力の低下は実用の範囲内であり当該技術者なら容易に実施可能であるので本発明の範囲内に含まれる。次におむつからの尿漏れ検出の動作について説明する。尿漏れは一般に排尿口付近のおむつの端から始まる。尿漏れが始まるとおむつの尿漏れ場所付近の湿度が急上昇する。湿度センサー３１はこの湿度を検出し上昇速度算出手段４６に送出する。上昇速度算出手段４６はこの湿度の上昇速度を単位時間内の変化分から求め警報判定手段４４に送出する。警報判定手段４４はこの上昇速度を設計段階で設定した所定値と比較し超過していれば警報信号を警報表示手段４５に発出する。【００２２】
（第二実施例）図６は、第一実施例の構成を示す構成図である。図６に示すように第二実施例は図４に示した第一実施例の構成に無線送信手段５０と無線受信手段５１と遠隔送信手段５２及び遠隔受信手段５３を付加したものである。【００２３】
図６を用いて第二実施例の動作を説明する。第二実施例において全てのセンサー出力は無線送信手段５０に送出される。この無線送信手段５０は微弱電波送信機で受け取った全センサーの出力情報を例えば１０ｍ以内に配設された無線受信手段５１に送信する。この全センサーの出力情報を無線受信手段５１がＰＨＳで構成された遠隔送信手段５２に送出する。この遠隔送信手段５２は受け取った前記全センサーの出力情報をＰＨＳ無線回線を経由して遠方に配設さたもう一方のＰＨＳで構成された遠隔受信手段５３により受信される。ここで、遠隔送信手段５２と遠隔受信手段５３との間隔は例えば５０ｍないし１００ｍである。遠隔受信手段５３は受け取った前記全センサーの出力情報をピーク算出手段４０と基準温度算出手段４１と運動検出手段４３及び上昇速度算出手段４６に分配する。以後の動作は図４に示した第一実施例と同じなので繰り返しての説明は省略する。遠隔受信手段５３の出力をパソコンに送出すれば以後の動作は全てパソコンで実現でき表示機に排尿量や排便量また排泄回数や使用者の動作に関する情報などを表示できることは当該分野の技術者なら容易に実施できることなので本発明の範囲内に含まれることは言うまでもない。無線送信手段５０は図２あるいは図３に示した本体４と同様に加速度センサー３０と一緒に小型容器に収容し図１に示したようにおむつの上縁部に取り付ける。
【図面の簡単な説明】
【００２４】
【図１】第一実施例の本発明装置をおむつに配設した場合の説明図である。
【図２】第一実施例で尿量算出精度を重視した各種センサーの配設を説明する説明図である。
【図３】第一実施例でコストを重視した各種センサーの配設を説明する説明図である。
【図４】第一実施例の構成を示す構成図である。
【図５】温度センサーが検出した排尿による温度の変化を説明するための説明図である。
【図６】第二実施例の構成を示す構成図である。
【符号の説明】
【００２５】
２・・・おむつ
３、３ａ、３ｂ・・・センサーユニット
４・・・本体
１０乃至１７・・・・尿用温度センサー
１８、１９、２０、２１・・・便用温度センサー
３０・・・加速度センサー
３１・・・温度センサー
４０・・・ピーク算出手段
４１・・・基準温度算出手段
４２・・・加重加算手段
４３・・・運動検出手段
４４・・・警報判定手段
４５・・・警報表示手段
４５・・・警報表示手段
４６・・・上昇速度算出手段
５１・・・無線受信手段
５２・・・遠隔送信手段
５３・・・遠隔受信手段
【図１】
2011162402.tif 000003
【図２】
2011162402.tif 000004
【図３】
2011162402.tif 000005
【図４】
2011162402.tif 000006
【図５】
2011162402.tif 000007
【図６】
2011162402.tif 000008
【手続補正書】
【提出日】平成23年12月9日(2011.12.9)
【手続補正１】
【補正対象書類名】特許請求の範囲
【補正対象項目名】全文
【補正方法】変更
【補正の内容】
【特許請求の範囲】
【請求項１】
おむつ内に排泄された便または尿の熱放散領域を覆うようにおむつの外側に配設した複数個の温度センサーと、これらの温度センサーの各個が検出した温度の最大値を算出する最大値算出手段と、前記温度センサーの各個が検出した温度が上昇に転じる点の温度を検出しその中から前記最大値発生時点直前の温度を抽出して基準温度とする基準温度算出手段と、排便または排尿の各回に前記各温度センサーが感応して発生した温度センサーごとの最大値から前記基準温度算出手段が算出した温度センサーごとの基準温度を減算しかつ全温度センサーについて加重加算することにより排便あるいは排尿量を算出する加重加算手段を備えたおむつ内排便及び排尿量検出装置。
【請求項２】
（削除）
【請求項３】
（削除）
【請求項４】
（削除）
【請求項５】
（削除）
【国際調査報告】
2011162402.tif 000009
2011162402.tif 000010
2011162402.tif 000011
2011162402.tif 000012